(57)【要約】  本願の実施例は端末装置の信号受信能力に対する要求を低減して、端末装置の処理負荷を軽減し端末装置の電池消費量を低減することのできる無線通信方法、ネットワーク機器及び端末装置を提供する。該方法は、第１時間帯に、第１データチャネルのスケジューリング情報を含める第１制御チャネルを送信することと、前記第１データチャネルのスケジューリング情報に基づき、第２時間帯に第１データチャネルの受信又は送信を行うことと、前記第２時間帯の一部の時間に前記第１データチャネルと周波数分割多重されることで第２制御チャネルを送信し、前記第２制御チャネルのスケジューリングしたデータチャネルが前記第１データチャネルを含まず、前記一部の時間の開始位置が前記第１時間帯の終了位置より先ではないことと、を含む。
2020507231.tif 000002
【特許請求の範囲】
【請求項１】
無線通信方法であって、
第１時間帯に、第１データチャネルのスケジューリング情報を含める第１制御チャネルを送信することと、
前記第１データチャネルのスケジューリング情報に基づき、第２時間帯に第１データチャネルの受信又は送信を行うことと、
前記第２時間帯の一部の時間に前記第１データチャネルと周波数分割多重されることで第２制御チャネルを送信し、前記第２制御チャネルのスケジューリングしたデータチャネルは前記第１データチャネルを含まず、前記一部の時間の開始位置は前記第１時間帯の終了位置より先ではないことと、を含むことを特徴とする無線通信方法。
【請求項２】
前記第１時間帯の開始位置は前記第２時間帯の開始位置より早く、前記第１時間帯の開始位置と前記第２時間帯の開始位置との間の前記第１制御チャネルは第２データチャネルと周波数分割多重され、前記第２データチャネルは前記第１制御チャネルの前の制御チャネルによりスケジューリングされることを特徴とする請求項１に記載の方法。
【請求項３】
前記第１時間帯の終了位置は前記第２時間帯の開始位置より遅くないことを特徴とする請求項２に記載の方法。
【請求項４】
前記第２時間帯において前記第２制御チャネルの開始位置は前記第２時間帯の開始位置より遅く、及び／又は、前記第２時間帯において前記第２制御チャネルの終了位置は前記第２時間帯の終了位置より早いことを特徴とする請求項１〜３のいずれか１項に記載の方法。
【請求項５】
前記第２制御チャネルは前記第２時間帯の一部の時間にのみ送信されることを特徴とする請求項１〜４のいずれか１項に記載の方法。
【請求項６】
前記第１時間帯の開始位置と前記第２時間帯の開始位置との時間差は、無線通信中に存在し得る複数の制御チャネルとそのスケジューリングしたデータチャネルとの複数の時間差の最大値以上であることを特徴とする請求項１〜５のいずれか１項に記載の方法。
【請求項７】
前記方法は、更に、
前記第１時間帯に対する前記第２時間帯の位置情報及び／又は前記第２時間帯の長さ情報を含む指示情報を送信することを含むことを特徴とする請求項１〜６のいずれか１項に記載の方法。
【請求項８】
前記指示情報は前記第１時間帯の開始位置に対する前記第２時間帯の開始位置の相対位置又は前記第１時間帯の終了位置に対する前記第２時間帯の開始位置の相対位置を示すことに用いられることを特徴とする請求項７に記載の方法。
【請求項９】
前記指示情報の送信は、
前記第１制御チャネルを含む複数の制御チャネルのスケジューリングした複数のデータチャネルに対応する伝送時間の位置情報及び／又は長さ情報を含む前記指示情報を送信することを含むことを特徴とする請求項７又は８に記載の方法。
【請求項１０】
前記指示情報の送信は、
高層シグナリング又は物理層制御シグナリングを介して前記指示情報を送信することを含むことを特徴とする請求項７〜９のいずれか１項に記載の方法。
【請求項１１】
無線通信方法であって、
制御チャネルのスケジューリングしたデータチャネルの伝送時間帯の位置情報及び／又は長さ情報を含む指示情報を送信することと、
前記制御チャネルを送信することと、
前記データチャネルの伝送時間帯内に、前記データチャネルの受信又は送信を行うことと、を含むことを特徴とする無線通信方法。
【請求項１２】
前記指示情報は、
前記制御チャネルの伝送時間帯の開始位置に対する前記データチャネルの伝送時間帯の開始位置の相対位置、又は
前記制御チャネルの伝送時間帯の終了位置に対する前記データチャネルの伝送時間帯の開始位置の相対位置を示すことに用いられることを特徴とする請求項１１に記載の方法。
【請求項１３】
前記指示情報の送信は、
前記制御チャネルを含む複数の制御チャネルのスケジューリングした複数のデータチャネルに対応する伝送時間の位置情報及び／又は長さ情報を含む前記指示情報を送信することを含むことを特徴とする請求項１１〜１２のいずれか１項に記載の方法。
【請求項１４】
前記指示情報の送信は、
高層シグナリング又は物理層シグナリングを介して前記指示情報を送信することを含むことを特徴とする請求項１１〜１３のいずれか１項に記載の方法。
【請求項１５】
無線通信方法であって、
第１時間帯に伝送した第１制御チャネルにおいて、端末装置は第１データチャネルのスケジューリング情報のうちの前記端末装置に対応するスケジューリング情報を受信し、前記第１制御チャネルは前記第１データチャネルをスケジューリングすることに用いられ、前記第１データチャネルは第２時間帯に伝送されることと、
前記端末装置に対するスケジューリング情報に基づき、前記第１データチャネルにおける前記端末装置に対応するデータを受信又は送信することと、を含み、
前記第２時間帯の一部の時間に、前記第１データチャネルは第２制御チャネルと周波数分割多重され、前記第２制御チャネルのスケジューリングしたデータチャネルは前記第１データチャネルを含まず、前記一部の時間の開始位置は前記第１時間帯の終了位置より先ではないことを特徴とする無線通信方法。
【請求項１６】
前記第１時間帯の開始位置は前記第２時間帯の開始位置より早く、前記第１時間帯の開始位置と前記第２時間帯の開始位置との間の前記第１制御チャネルは第２データチャネルと周波数分割多重され、前記第２データチャネルは前記第１制御チャネルの前の制御チャネルによりスケジューリングされることを特徴とする請求項１５に記載の方法。
【請求項１７】
前記第１時間帯の終了位置は前記第２時間帯の開始位置より遅くないことを特徴とする請求項１６に記載の方法。
【請求項１８】
前記第２時間帯において前記第２制御チャネルの開始位置は前記第２時間帯の開始位置より遅く、及び／又は、前記第２時間帯において前記第２制御チャネルの終了位置は前記第２時間帯の終了位置より早いことを特徴とする請求項１５〜１７のいずれか１項に記載の方法。
【請求項１９】
前記第２制御チャネルは前記第２時間帯の一部の時間にのみ送信されることを特徴とする請求項１５〜１８のいずれか１項に記載の方法。
【請求項２０】
前記第１時間帯の開始位置と前記第２時間帯の開始位置との時間差は、無線通信中に存在し得る複数の制御チャネルとそのスケジューリングしたデータチャネルとの複数の時間差の最大値以上であることを特徴とする請求項１５〜１９のいずれか１項に記載の方法。
【請求項２１】
前記方法は、更に、
前記第１時間帯に対する前記第２時間帯の位置情報及び／又は前記第２時間帯の長さ情報を含む指示情報を受信することを含み、
前記端末装置に対するスケジューリング情報に基づき、前記第１データチャネルにおける前記端末装置に対応するデータを受信又は送信することは、
前記指示情報及び前記スケジューリング情報に基づき、前記第１データチャネルにおける前記端末装置に対応するデータを受信又は送信することを含むことを特徴とする請求項１５〜２０のいずれか１項に記載の方法。
【請求項２２】
前記指示情報は前記第１時間帯の開始位置に対する前記第２時間帯の開始位置の相対位置、又は前記第１時間帯の終了位置に対する前記第２時間帯の開始位置の相対位置を示すことに用いられることを特徴とする請求項２１に記載の方法。
【請求項２３】
前記指示情報の受信は、
前記第１制御チャネルを含む複数の制御チャネルのスケジューリングした複数のデータチャネルに対応する伝送時間の位置情報及び／又は長さ情報を含む前記指示情報を受信することを含むことを特徴とする請求項２１又は２２に記載の方法。
【請求項２４】
前記指示情報の受信は、
高層シグナリング又は物理層制御シグナリングを介して送信した前記指示情報を受信することを含むことを特徴とする請求項２１〜２３のいずれか１項に記載の方法。
【請求項２５】
無線通信方法であって、
制御チャネルのスケジューリングしたデータチャネルの位置情報及び／又は長さ情報を含む指示情報を受信することと、
前記指示情報及び前記制御チャネルにおける前記端末装置に対するスケジューリング情報に基づき、前記データチャネルの伝送時間帯内に、前記データチャネルにおける前記端末装置に対応するデータを受信又は送信することと、を含むことを特徴とする無線通信方法。
【請求項２６】
前記指示情報は、
前記制御チャネルの伝送時間帯の開始位置に対する前記データチャネルの伝送時間帯の開始位置の相対位置、又は
前記制御チャネルの伝送時間帯の終了位置に対する前記データチャネルの伝送時間帯の開始位置の相対位置を示すことに用いられることを特徴とする請求項２５に記載の方法。
【請求項２７】
前記指示情報の受信は、
前記制御チャネルを含む複数の制御チャネルのスケジューリングした複数のデータチャネルに対応する伝送時間の位置情報及び／又は長さ情報を含む前記指示情報を受信することを含むことを特徴とする請求項２５又は２６に記載の方法。
【請求項２８】
前記指示情報の受信は、
高層シグナリング又は物理層シグナリングを介して送信した前記指示情報を受信することを含むことを特徴とする請求項２５〜２７のいずれか１項に記載の方法。
【請求項２９】
ネットワーク機器であって、
第１送受信ユニット及び第２送受信ユニットを備え、
前記第１送受信ユニットは第１時間帯に、前記第１データチャネルのスケジューリング情報を含める第１制御チャネルを送信することに用いられ、
前記第２送受信ユニットは前記第１データチャネルのスケジューリング情報に基づき、第２時間帯に第１データチャネルの受信又は送信を行うことに用いられ、
前記第１送受信ユニットは更に前記第２時間帯の一部の時間に前記第１データチャネルと周波数分割多重されることで第２制御チャネルを送信することに用いられ、
前記第２制御チャネルのスケジューリングしたデータチャネルは前記第１データチャネルを含まず、前記一部の時間の開始位置は前記第１時間帯の終了位置より先ではないことを特徴とするネットワーク機器。
【請求項３０】
前記第１時間帯の開始位置は前記第２時間帯の開始位置より早く、前記第１時間帯の開始位置と前記第２時間帯の開始位置との間の前記第１制御チャネルは第２データチャネルと周波数分割多重され、前記第２データチャネルは前記第１制御チャネルの前の制御チャネルによりスケジューリングされることを特徴とする請求項２９に記載のネットワーク機器。
【請求項３１】
前記第１時間帯の終了位置は前記第２時間帯の開始位置より遅くないことを特徴とする請求項３０に記載のネットワーク機器。
【請求項３２】
前記第２時間帯において前記第２制御チャネルの開始位置は前記第２時間帯の開始位置より遅く、及び／又は、前記第２時間帯において前記第２制御チャネルの終了位置は前記第２時間帯の終了位置より早いことを特徴とする請求項２９〜３１のいずれか１項に記載のネットワーク機器。
【請求項３３】
前記第２制御チャネルは前記第２時間帯の一部の時間にのみ送信されることを特徴とする請求項２９〜３２のいずれか１項に記載のネットワーク機器。
【請求項３４】
前記第１時間帯の開始位置と前記第２時間帯の開始位置との時間差は、無線通信中に存在し得る複数の制御チャネルとそのスケジューリングしたデータチャネルとの複数の時間差の最大値以上であることを特徴とする請求項２９〜３３のいずれか１項に記載のネットワーク機器。
【請求項３５】
前記第１送受信ユニットは、更に、
前記第１時間帯に対する前記第２時間帯の位置情報及び／又は前記第２時間帯の長さ情報を含む指示情報を送信することに用いられることを特徴とする請求項２９〜３４のいずれか１項に記載のネットワーク機器。
【請求項３６】
前記指示情報は前記第１時間帯の開始位置に対する前記第２時間帯の開始位置の相対位置、又は前記第１時間帯の終了位置に対する前記第２時間帯の開始位置の相対位置を示すことに用いられることを特徴とする請求項３５に記載のネットワーク機器。
【請求項３７】
前記第１送受信ユニットは、更に、
前記第１制御チャネルを含む複数の制御チャネルのスケジューリングした複数のデータチャネルに対応する伝送時間の位置情報及び／又は長さ情報を含む前記指示情報を送信することに用いられることを特徴とする請求項３５又は３６に記載のネットワーク機器。
【請求項３８】
前記第１送受信ユニットは、更に、
高層シグナリング又は物理層制御シグナリングを介して前記指示情報を送信することに用いられることを特徴とする請求項３５〜３７のいずれか１項に記載のネットワーク機器。
【請求項３９】
ネットワーク機器であって、
第１送受信ユニット及び第２送受信ユニットを備え、
前記第１送受信ユニットは制御チャネルのスケジューリングしたデータチャネルの伝送時間帯の位置情報及び／又は長さ情報を含む指示情報を送信し、前記制御チャネルを送信することに用いられ、
前記第２送受信ユニットは前記データチャネルの伝送時間帯内に、前記データチャネルの受信又は送信を行うことに用いられることを特徴とするネットワーク機器。
【請求項４０】
前記指示情報は、
前記制御チャネルの伝送時間帯の開始位置に対する前記データチャネルの伝送時間帯の開始位置の相対位置、又は
前記制御チャネルの伝送時間帯の終了位置に対する前記データチャネルの伝送時間帯の開始位置の相対位置を示すことに用いられることを特徴とする請求項３９に記載のネットワーク機器。
【請求項４１】
前記第１送受信ユニットは、更に、
前記制御チャネルを含む複数の制御チャネルのスケジューリングした複数のデータチャネルに対応する伝送時間の位置情報及び／又は長さ情報を含む前記指示情報を送信することに用いられることを特徴とする請求項３９又は４０のいずれか１項に記載のネットワーク機器。
【請求項４２】
前記第１送受信ユニットは、更に、
高層シグナリング又は物理層シグナリングを介して前記指示情報を送信することに用いられることを特徴とする請求項３９〜４１のいずれか１項に記載のネットワーク機器。
【請求項４３】
端末装置であって、
第１送受信ユニット及び第２送受信ユニットを備え、
前記第１送受信ユニットは第１時間帯に伝送した第１制御チャネルにおいて、第１データチャネルのスケジューリング情報のうちの前記端末装置に対応するスケジューリング情報を受信することに用いられ、前記第１制御チャネルは前記第１データチャネルをスケジューリングすることに用いられ、前記第１データチャネルは第２時間帯に伝送され、
前記第２送受信ユニットは前記端末装置に対するスケジューリング情報に基づき、前記第１データチャネルにおける前記端末装置に対応するデータを受信又は送信することに用いられ、
前記第２時間帯の一部の時間に、前記第１データチャネルは第２制御チャネルと周波数分割多重され、前記第２制御チャネルのスケジューリングしたデータチャネルは前記第１データチャネルを含まず、前記一部の時間の開始位置は前記第１時間帯の終了位置より先ではないことを特徴とする端末装置。
【請求項４４】
前記第１時間帯の開始位置は前記第２時間帯の開始位置より早く、前記第１時間帯の開始位置と前記第２時間帯の開始位置との間の前記第１制御チャネルは第２データチャネルと周波数分割多重され、前記第２データチャネルは前記第１制御チャネルの前の制御チャネルによりスケジューリングされることを特徴とする請求項４３に記載の端末装置。
【請求項４５】
前記第１時間帯の終了位置は前記第２時間帯の開始位置より遅くないことを特徴とする請求項４４に記載の端末装置。
【請求項４６】
前記第２時間帯において前記第２制御チャネルの開始位置は前記第２時間帯の開始位置より遅く、及び／又は、前記第２時間帯において前記第２制御チャネルの終了位置は前記第２時間帯の終了位置より早いことを特徴とする請求項４３〜４５のいずれか１項に記載の端末装置。
【請求項４７】
前記第２制御チャネルは前記第２時間帯の一部の時間にのみ送信されることを特徴とする請求項４３〜４６のいずれか１項に記載の端末装置。
【請求項４８】
前記第１時間帯の開始位置と前記第２時間帯の開始位置との時間差は、無線通信中に存在し得る複数の制御チャネルとそのスケジューリングしたデータチャネルとの複数の時間差の最大値以上であることを特徴とする請求項４３〜４７のいずれか１項に記載の端末装置。
【請求項４９】
前記第１送受信ユニットは、更に、
前記第１時間帯に対する前記第２時間帯の位置情報及び／又は前記第２時間帯の長さ情報を含む指示情報を受信することに用いられ、
前記第２送受信ユニットは、更に、
前記指示情報及び前記スケジューリング情報に基づき、前記第１データチャネルにおける前記端末装置に対応するデータを受信又は送信することに用いられることを特徴とする請求項４３〜４８のいずれか１項に記載の端末装置。
【請求項５０】
前記指示情報は前記第１時間帯の開始位置に対する前記第２時間帯の開始位置の相対位置、又は前記第１時間帯の終了位置に対する前記第２時間帯の開始位置の相対位置を示すことに用いられることを特徴とする請求項４９に記載の端末装置。
【請求項５１】
前記第１送受信ユニットは、更に、
前記第１制御チャネルを含む複数の制御チャネルのスケジューリングした複数のデータチャネルに対応する伝送時間の位置情報及び／又は長さ情報を含む前記指示情報を受信することに用いられることを特徴とする請求項４９又は５０に記載の端末装置。
【請求項５２】
前記第１送受信ユニットは、更に、
高層シグナリング又は物理層制御シグナリングを介して送信した前記指示情報を受信することに用いられることを特徴とする請求項４９〜５１のいずれか１項に記載の端末装置。
【請求項５３】
端末装置であって、
第１送受信ユニット及び第２送受信ユニットを備え、
前記第１送受信ユニットは制御チャネルのスケジューリングしたデータチャネルの位置情報及び／又は長さ情報を含む指示情報を受信することに用いられ、
前記第２送受信ユニットは前記指示情報及び前記制御チャネルにおける前記端末装置に対するスケジューリング情報に基づき、前記データチャネルの伝送時間帯内に、前記データチャネルにおける前記端末装置に対応するデータを受信又は送信することに用いられることを特徴とする端末装置。
【請求項５４】
前記指示情報は、
前記制御チャネルの伝送時間帯の開始位置に対する前記データチャネルの伝送時間帯の開始位置の相対位置、又は
前記制御チャネルの伝送時間帯の終了位置に対する前記データチャネルの伝送時間帯の開始位置の相対位置を示すことに用いられることを特徴とする請求項５３に記載の端末装置。
【請求項５５】
前記第１送受信ユニットは、更に、
前記制御チャネルを含む複数の制御チャネルのスケジューリングした複数のデータチャネルに対応する伝送時間の位置情報及び／又は長さ情報を含む前記指示情報を受信することに用いられることを特徴とする請求項５３又は５４に記載の端末装置。
【請求項５６】
前記第１送受信ユニットは、更に、
高層シグナリング又は物理層シグナリングを介して送信した前記指示情報を受信することに用いられることを特徴とする請求項５３〜５５のいずれか１項に記載の端末装置。
【発明の詳細な説明】
【技術分野】
【０００１】
本願は通信分野に関し、より具体的に、無線通信方法、ネットワーク機器及び端末装置に関する。
【背景技術】
【０００２】
従来のロングタームエボリューション（ＬＴＥ：Ｌｏｎｇ  Ｔｅｒｍ  Ｅｖｏｌｕｔｉｏｎ）システムにおいて、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）が各サブフレームの最も前の複数のシンボルを占有し、１つの搬送波の全周波数帯域において伝送され、ＰＤＣＣＨの位置するシンボルにおいて物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を伝送できず、ＰＤＣＣＨが終了しなければＰＤＳＣＨの伝送を開始できない。
【０００３】
５Ｇ（新無線（ＮＲ：Ｎｅｗ  Ｒａｄｉｏ）とも称される）システムは、タイムスロットの前の複数のシンボルにおいて、ＰＤＣＣＨ及びＰＤＳＣＨが異なる周波数領域リソースを占有することをサポートする。しかしながら、ＰＤＣＣＨの復号が完了しなければこの複数のシンボルのＰＤＳＣＨの復調を開始できず、このため、端末は複数のシンボル信号を予めキャッシュする必要があり、５Ｇの周波数帯域が広いことを加え、端末のキャッシュ能力、処理負荷及び電池消費量に大きな課題をもたらす。
【発明の概要】
【発明が解決しようとする課題】
【０００４】
本願の実施例は端末装置の信号受信能力に対する要求を低減して、端末装置の処理負荷を軽減し端末装置の電池消費量を低減することのできる無線通信方法、ネットワーク機器及び端末装置を提供する。
【課題を解決するための手段】
【０００５】
第１態様は無線通信方法を提供し、第１時間帯に、第１データチャネルのスケジューリング情報を含める第１制御チャネルを送信することと、前記第１データチャネルのスケジューリング情報に基づき、第２時間帯に第１データチャネルの受信又は送信を行うことと、前記第２時間帯の一部の時間に前記第１データチャネルと周波数分割多重されることで第２制御チャネルを送信し、前記第２制御チャネルのスケジューリングしたデータチャネルが前記第１データチャネルを含まず、前記一部の時間の開始位置が前記第１時間帯の終了位置より先ではないことと、を含む。
【０００６】
従って、本願の実施例において、ネットワーク機器は第１時間帯に第１制御チャネルを送信することにより、第２時間帯に伝送した第１データチャネルをスケジューリングすることができ、該第２時間帯の一部の時間に該第１データチャネルと周波数分割多重されることで第２制御チャネルを送信し、該第２制御チャネルのスケジューリングしたデータチャネルが該第１データチャネルを含まず、該一部の時間の開始位置が前記第１時間帯の終了位置より先ではなく、つまり、第２制御チャネルと周波数分割多重されるデータチャネルが全体的又は部分的に第２制御チャネルの前の制御チャネルによりスケジューリングされてもよく、これにより端末装置に多すぎるデータシンボルがキャッシュされることを避けることができ、それにより端末装置の信号受信能力に対する要求を低減して、端末装置の処理負荷を軽減し端末装置の電池消費量を低減することができる。
【０００７】
選択肢として、前記第１時間帯の開始位置が前記第２時間帯の開始位置より早く、前記第１時間帯の開始位置と前記第２時間帯の開始位置との間の前記第１制御チャネルが第２データチャネルと周波数分割多重され、前記第２データチャネルが前記第１制御チャネルの前の制御チャネルによりスケジューリングされる。
【０００８】
選択肢として、前記第１時間帯の終了位置が前記第２時間帯の開始位置より遅くない。
【０００９】
選択肢として、前記第２時間帯において前記第２制御チャネルの開始位置が前記第２時間帯の開始位置より遅く、及び／又は、前記第２時間帯において前記第２制御チャネルの終了位置が前記第２時間帯の終了位置より早い。
【００１０】
選択肢として、前記第２制御チャネルが前記第２時間帯の一部の時間にのみ送信される。
【００１１】
選択肢として、前記第１時間帯の開始位置と前記第２時間帯の開始位置との時間差が無線通信中に存在し得る複数の制御チャネルとそのスケジューリングしたデータチャネルとの複数の時間差の最大値以上である。
【００１２】
選択肢として、前記方法は、更に、前記第１時間帯に対する前記第２時間帯の位置情報及び／又は前記第２時間帯の長さ情報を含む指示情報を送信することを含む。
【００１３】
選択肢として、前記指示情報は前記第１時間帯の開始位置に対する前記第２時間帯の開始位置の相対位置又は前記第１時間帯の終了位置に対する前記第２時間帯の開始位置の相対位置を示すことに用いられる。
【００１４】
選択肢として、前記指示情報の送信は、前記第１制御チャネルを含む複数の制御チャネルのスケジューリングした複数のデータチャネルに対応する伝送時間の位置情報及び／又は長さ情報を含む前記指示情報を送信することを含む。
【００１５】
選択肢として、前記指示情報の送信は、高層シグナリング又は物理層制御シグナリングを介して前記指示情報を送信することを含む。
【００１６】
第２態様は無線通信方法を提供し、制御チャネルのスケジューリングしたデータチャネルの伝送時間帯の位置情報及び／又は長さ情報を含む指示情報を送信することと、前記制御チャネルを送信することと、前記データチャネルの伝送時間帯内に、前記データチャネルの受信又は送信を行うことと、を含む。
【００１７】
選択肢として、前記指示情報は前記制御チャネルの伝送時間帯の開始位置に対する前記データチャネルの伝送時間帯の開始位置の相対位置、又は前記制御チャネルの伝送時間帯の終了位置に対する前記データチャネルの伝送時間帯の開始位置の相対位置を示すことに用いられる。
【００１８】
選択肢として、前記指示情報の送信は、前記制御チャネルを含む複数の制御チャネルのスケジューリングした複数のデータチャネルに対応する伝送時間の位置情報及び／又は長さ情報を含む前記指示情報を送信することを含む。
【００１９】
選択肢として、前記指示情報の送信は、高層シグナリング又は物理層シグナリングを介して前記指示情報を送信することを含む。
【００２０】
第３態様は無線通信方法を提供し、
第１時間帯に伝送した第１制御チャネルにおいて、端末装置が第１データチャネルのスケジューリング情報のうちの前記端末装置に対応するスケジューリング情報を受信し、前記第１制御チャネルが前記第１データチャネルをスケジューリングすることに用いられ、前記第１データチャネルが第２時間帯に伝送されることと、
前記端末装置に対するスケジューリング情報に基づき、前記第１データチャネルにおける前記端末装置に対応するデータを受信又は送信することと、を含み、
前記第２時間帯の一部の時間に、前記第１データチャネルが第２制御チャネルと周波数分割多重され、前記第２制御チャネルのスケジューリングしたデータチャネルが前記第１データチャネルを含まず、前記一部の時間の開始位置が前記第１時間帯の終了位置より先ではない。
【００２１】
選択肢として、前記第１時間帯の開始位置が前記第２時間帯の開始位置より早く、前記第１時間帯の開始位置と前記第２時間帯の開始位置との間の前記第１制御チャネルが第２データチャネルと周波数分割多重され、前記第２データチャネルが前記第１制御チャネルの前の制御チャネルによりスケジューリングされる。
【００２２】
選択肢として、前記第１時間帯の終了位置が前記第２時間帯の開始位置より遅くない。
【００２３】
選択肢として、前記第２時間帯において前記第２制御チャネルの開始位置が前記第２時間帯の開始位置より遅く、及び／又は、前記第２時間帯において前記第２制御チャネルの終了位置が前記第２時間帯の終了位置より早い。
【００２４】
選択肢として、前記第２制御チャネルが前記第２時間帯の一部の時間にのみ送信される。
【００２５】
選択肢として、前記第１時間帯の開始位置と前記第２時間帯の開始位置との時間差が無線通信中に存在し得る複数の制御チャネルとそのスケジューリングしたデータチャネルとの複数の時間差の最大値以上である。
【００２６】
選択肢として、前記方法は、更に、前記第１時間帯に対する前記第２時間帯の位置情報及び／又は前記第２時間帯の長さ情報を含む指示情報を受信することを含み、前記端末装置に対するスケジューリング情報に基づき、前記第１データチャネルにおける前記端末装置に対応するデータを受信又は送信することは、
前記指示情報及び前記スケジューリング情報に基づき、前記第１データチャネルにおける前記端末装置に対応するデータを受信又は送信することを含む。
【００２７】
選択肢として、前記指示情報は前記第１時間帯の開始位置に対する前記第２時間帯の開始位置の相対位置又は前記第１時間帯の終了位置に対する前記第２時間帯の開始位置の相対位置を示すことに用いられる。
【００２８】
選択肢として、前記指示情報の受信は、前記第１制御チャネルを含む複数の制御チャネルのスケジューリングした複数のデータチャネルに対応する伝送時間の位置情報及び／又は長さ情報を含む前記指示情報を受信することを含む。
【００２９】
選択肢として、前記指示情報の受信は、高層シグナリング又は物理層制御シグナリングを介して送信した前記指示情報を受信することを含む。
【００３０】
第４態様は無線通信方法を提供し、制御チャネルのスケジューリングしたデータチャネルの位置情報及び／又は長さ情報を含む指示情報を受信することと、前記指示情報及び前記制御チャネルにおける前記端末装置に対するスケジューリング情報に基づき、前記データチャネルの伝送時間帯内に、前記データチャネルにおける前記端末装置に対応するデータを受信又は送信することと、を含む。
【００３１】
従って、本願の実施例において、ネットワーク機器は制御チャネルのスケジューリングしたデータチャネルの伝送時間帯の位置情報及び／又は長さ情報を含む指示情報を端末装置に送信し、ネットワーク機器は該指示情報に基づいてデータチャネルのスケジューリングを行うことができ、それによりデータチャネルの柔軟なスケジューリングを実現することができる。
【００３２】
選択肢として、前記指示情報は前記制御チャネルの伝送時間帯の開始位置に対する前記データチャネルの伝送時間帯の開始位置の相対位置、又は前記制御チャネルの伝送時間帯の終了位置に対する前記データチャネルの伝送時間帯の開始位置の相対位置を示すことに用いられる。
【００３３】
選択肢として、前記指示情報の受信は、前記制御チャネルを含む複数の制御チャネルのスケジューリングした複数のデータチャネルに対応する伝送時間の位置情報及び／又は長さ情報を含む前記指示情報を受信することを含む。
【００３４】
選択肢として、前記指示情報の受信は、高層シグナリング又は物理層シグナリングを介して送信した前記指示情報を受信することを含む。
【００３５】
第５態様はネットワーク機器を提供し、該ネットワーク機器は第１態様又はいずれか１つの選択可能な実現方式における方法を実行するユニットを備えてもよい。
【００３６】
第６態様はネットワーク機器を提供し、該ネットワーク機器は第２態様又はいずれか１つの選択可能な実現方式における方法を実行するユニットを備えてもよい。
【００３７】
第７態様は端末装置を提供し、該ネットワーク機器は第３態様又はいずれか１つの選択可能な実現方式における方法を実行するユニットを備えてもよい。
【００３８】
第８態様は端末装置を提供し、該ネットワーク機器は第４態様又はいずれか１つの選択可能な実現方式における方法を実行するユニットを備えてもよい。
【００３９】
第９態様はネットワーク機器を提供し、該ネットワーク機器はメモリ及びプロセッサを備えてもよく、該メモリは命令を記憶し、該メモリはメモリに記憶される命令を呼び出して第１態様又はいずれか１つの選択可能な実現方式における方法を実行することに用いられる。
【００４０】
第１０態様はネットワーク機器を提供し、該ネットワーク機器はメモリ及びプロセッサを備えてもよく、該メモリは命令を記憶し、該メモリはメモリに記憶される命令を呼び出して第２態様又はいずれか１つの選択可能な実現方式における方法を実行することに用いられる。
【００４１】
第１１態様は端末装置を提供し、該端末装置はメモリ及びプロセッサを備えてもよく、該メモリは命令を記憶し、該メモリはメモリに記憶される命令を呼び出して第３態様又はいずれか１つの選択可能な実現方式における方法を実行することに用いられる。
【００４２】
第１２態様は端末装置を提供し、該端末装置はメモリ及びプロセッサを備えてもよく、該メモリは命令を記憶し、該メモリはメモリに記憶される命令を呼び出して第４態様又はいずれか１つの選択可能な実現方式における方法を実行することに用いられる。
【００４３】
第１３態様はコンピュータ可読媒体を提供し、前記コンピュータ可読媒体は端末装置の実行するプログラムコードを記憶し、前記プログラムコードは第１態様又は様々な実現方式における方法を実行するための命令を含む。
【００４４】
第１４態様はコンピュータ可読媒体を提供し、前記コンピュータ可読媒体はネットワーク機器の実行するプログラムコードを記憶し、前記プログラムコードは第２態様又は様々な実現方式における方法を実行するための命令を含む。
【００４５】
第１５態様はコンピュータ可読媒体を提供し、前記コンピュータ可読媒体は端末装置の実行するプログラムコードを記憶し、前記プログラムコードは第３態様又は様々な実現方式における方法を実行するための命令を含む。
【００４６】
第１６態様はコンピュータ可読媒体を提供し、前記コンピュータ可読媒体はネットワーク機器の実行するプログラムコードを記憶し、前記プログラムコードは第４態様又は様々な実現方式における方法を実行するための命令を含む。
【００４７】
第１７態様はシステムチップを提供し、該システムチップは入力インターフェース、出力インターフェース、プロセッサ及びメモリを備え、該プロセッサは該メモリにおけるコードを実行することに用いられ、該コードが実行されるとき、該プロセッサは上記第１態様及び様々な実現方式における方法を実現することができる。
【００４８】
第１８態様はシステムチップを提供し、該システムチップは入力インターフェース、出力インターフェース、プロセッサ及びメモリを備え、該プロセッサは該メモリにおけるコードを実行することに用いられ、該コードが実行されるとき、該プロセッサは上記第２態様及び様々な実現方式における方法を実現することができる。
【００４９】
第１９態様はシステムチップを提供し、該システムチップは入力インターフェース、出力インターフェース、プロセッサ及びメモリを備え、該プロセッサは該メモリにおけるコードを実行することに用いられ、該コードが実行されるとき、該プロセッサは上記第３態様及び様々な実現方式における方法を実現することができる。
【００５０】
第２０態様はシステムチップを提供し、該システムチップは入力インターフェース、出力インターフェース、プロセッサ及びメモリを備え、該プロセッサは該メモリにおけるコードを実行することに用いられ、該コードが実行されるとき、該プロセッサは上記第４態様及び様々な実現方式における方法を実現することができる。
【図面の簡単な説明】
【００５１】
本願の実施例の技術案をより明確に説明するために、以下に実施例又は従来技術の記述において必要な図面に対して簡単に説明を行うが、明らかに、以下に記載する図面は単に本願の実施例の一例であって、当業者であれば、創造的な労力を要することなく、これらの図面に基づいて他の図面に想到しうる。
【００５２】
【図１】図１は本願の実施例に係る応用シーンを示す図である。
【図２】図２は本願の実施例に係る無線通信方法の模式的なフローチャートである。
【図３】図３は本願の実施例に係る無線通信方法の模式的なフローチャートである。
【図４】図４は本願の実施例に係る制御チャネル及びデータチャネルの時間領域における関係を示す図である。
【図５ａ】図５ａは本願の実施例に係るデータチャネルに対する制御チャネルのスケジューリング方式の模式図である。
【図５ｂ】図５ｂは図５ａに示すスケジューリング方式を用いるとき、端末装置の予め記憶すべきシンボルの模式図である。
【図５ｃ】図５ｃはデータチャネルに対する代表的な制御チャネルのスケジューリング方式の模式図である。
【図５ｄ】図５ｄは図５ｃに示すスケジューリング方式を用いるとき、端末装置の予め記憶すべきシンボルの模式図である。
【図６】図６は本願の実施例に係る無線通信方法の模式的なフローチャートである。
【図７】図７は本願の実施例に係る無線通信方法の模式的なフローチャートである。
【図８】図８は本願の実施例に係るネットワーク機器の模式的なブロック図である。
【図９】図９は本願の実施例に係るネットワーク機器の模式的なブロック図である。
【図１０】図１０は本願の実施例に係る端末装置の模式的なブロック図である。
【図１１】図１１は本願の実施例に係る端末装置の模式的なブロック図である。
【図１２】図１２は本願の実施例に係る通信装置の模式的なブロック図である。
【図１３】図１３は本願の実施例に係るシステムチップの模式的なブロック図である。
【発明を実施するための形態】
【００５３】
以下、本願の実施例の図面を参照しながら、本願の実施例の技術案を説明し、明らかに、説明される実施例は本願の実施例の一部であり、実施例のすべてではない。本願の実施例に基づき、当業者が創造的な労働なしに得られた他の実施例は、いずれも本願の保護範囲に属する。
【００５４】
本願の実施例の技術案は様々な通信システム、例えば、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称）、ロングタームエボリューション（Ｌｏｎｇ  Ｔｅｒｍ  Ｅｖｏｌｕｔｉｏｎ、「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称）システム、ＬＴＥ時分割複信（Ｔｉｍｅ  Ｄｉｖｉｓｉｏｎ  Ｄｕｐｌｅｘ、「ＴＤＤ」と略称）、ユニバーサルモバイルテレコミュニケーションズシステム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）、マイクロ波利用アクセスに関する世界的な相互運用（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称）通信システム又は将来の５Ｇシステム等に適用されてもよい。
【００５５】
図１に本願の実施例に適用される無線通信システム１００を示す。該無線通信システム１００はネットワーク機器１１０を備えてもよい。ネットワーク機器１１０は端末装置と通信する装置であってもよい。ネットワーク機器１１０は特定の地理的領域に通信カバレッジを提供することができ、且つ該カバレッジ領域内の端末装置（例えばＵＥ）と通信することができる。選択肢として、該ネットワーク機器１１０はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、更にＬＴＥシステムにおける発展型基地局（ｅＮＢ又はｅＮｏｄｅＢ：Ｅｖｏｌｕｔｉｏｎａｌ  Ｎｏｄｅ  Ｂ）、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線制御装置であってもよく、又は、該ネットワーク機器は中継所、アクセスポイント、車載装置、ウェアラブル端末、将来の５Ｇネットワークにおけるネットワーク側機器又は将来発展する公衆陸上移動網（ＰＬＭＮ：Ｐｕｂｌｉｃ  Ｌａｎｄ  Ｍｏｂｉｌｅ  Ｎｅｔｗｏｒｋ）におけるネットワーク機器等であってもよい。
【００５６】
該無線通信システム１００は更にネットワーク機器１１０のカバレッジ範囲内にある少なくとも１つの端末装置１２０を備える。端末装置１２０は可動又は固定であってもよい。選択肢として、端末装置１２０はアクセス端末、ユーザー装置（ＵＥ：Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００５７】
選択肢として、５Ｇシステム又はネットワークは更に新無線（ＮＲ：Ｎｅｗ  Ｒａｄｉｏ）システム又はネットワークと称されてもよい。
【００５８】
図１に１つのネットワーク機器及び２つの端末装置を例示的に示し、選択肢として、該無線通信システム１００は複数のネットワーク機器を備えてもよく、且つ各ネットワーク機器のカバレッジ範囲内に他の数の端末装置が含まれてもよく、本願の実施例は制限しない。
【００５９】
選択肢として、該無線通信システム１００は更にネットワーク制御装置、モビリティ管理エンティティ等の他のネットワークエンティティを備えてもよく、本願の実施例は制限しない。
【００６０】
本明細書における用語「システム」及び「ネットワーク」が常に交換して使用されると理解すべきである。本明細書における用語「及び／又は」は、関連オブジェクトを説明する関連関係に過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００６１】
図２は本願の実施例に係る無線通信方法２００の模式的なフローチャートである。選択肢として、該方法がネットワーク機器により実行されてもよい。
【００６２】
図２に示すように、該方法２００は以下の内容を含む。
【００６３】
２１０では、第１時間帯に、第１データチャネルのスケジューリング情報を含める第１制御チャネルを送信する。
【００６４】
２２０では、該第１データチャネルのスケジューリング情報に基づき、第２時間帯に第１データチャネルの受信又は送信を行う。
【００６５】
２３０では、該第２時間帯の一部の時間に該第１データチャネルと周波数分割多重されることで第２制御チャネルを送信し、該第２制御チャネルのスケジューリングしたデータチャネルが該第１データチャネルを含まず、該一部の時間の開始位置が前記第１時間帯の終了位置より先ではない。
【００６６】
図３は本願の実施例に係る通信方法３００の模式的なフローチャートである。選択肢として、該方法が端末装置により実行されてもよい。図３に示すように、該方法は以下の内容を含む。
【００６７】
３１０では、第１時間帯に伝送した第１制御チャネルにおいて、端末装置が第１データチャネルのスケジューリング情報のうちの前記端末装置に対応するスケジューリング情報を受信し、前記第１制御チャネルが前記第１データチャネルをスケジューリングすることに用いられ、前記第１データチャネルが第２時間帯に伝送され、
３２０では、前記端末装置に対するスケジューリング情報に基づき、前記第１データチャネルにおける前記端末装置に対応するデータを受信又は送信し、
前記第２時間帯の一部の時間に、前記第１データチャネルが第２制御チャネルと周波数分割多重され、前記第２制御チャネルのスケジューリングしたデータチャネルが前記第１データチャネルを含まず、前記一部の時間の開始位置が前記第１時間帯の終了位置より先ではない。
【００６８】
従って、本願の実施例において、ネットワーク機器は第１時間帯に第１制御チャネルを送信することにより、第２時間帯に伝送した第１データチャネルをスケジューリングすることができ、該第２時間帯の一部の時間に該第１データチャネルと周波数分割多重されることで第２制御チャネルを送信し、該第２制御チャネルのスケジューリングしたデータチャネルが該第１データチャネルを含まず、該一部の時間の開始位置が前記第１時間帯の終了位置より先ではなく、つまり、第２制御チャネルと周波数分割多重されるデータチャネルが全体的又は部分的に第２制御チャネルの前の制御チャネルによりスケジューリングされてもよく、これにより端末装置に多すぎるデータシンボルがキャッシュされることを避けることができ、それにより端末装置の信号受信能力に対する要求を低減して、端末装置の処理負荷を軽減し端末装置の電池消費量を低減することができる。
【００６９】
選択肢として、該第１制御チャネルは物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）であってもよい。
【００７０】
選択肢として、該第１データチャネルは物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）、又は物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）であってもよい。
【００７１】
選択肢として、第１制御チャネルは少なくとも１つの時間領域ユニットの少なくとも１つのシンボルを占有してもよい。例えば、１つのサブフレーム又はタイムスロットの前の複数のシンボルを占有してもよい。
【００７２】
選択肢として、該第１制御チャネルは少なくとも１つの時間領域ユニットの少なくとも１つのシンボルを占有してもよい。例えば、２つの隣接する時間領域ユニットの複数のシンボルを占有してもよく、例えば、一つ前の時間領域ユニットの時間的に後ろのシンボル及び後ろの一つの時間領域ユニットの時間的に前のシンボルを占有する。
【００７３】
選択肢として、第１制御チャネルの占有した時間領域ユニットが第１データチャネルの占有した時間領域ユニットと完全に異なってもよい。
【００７４】
選択肢として、本願の実施例において、一回の制御チャネルでスケジューリングしたデータチャネルの占有した時間はデータチャネルに対応する時間領域ユニットと称されてもよく、又は、二回の制御チャネルでスケジューリングした２つのデータチャネルの間の間隔はデータチャネルに対応する時間領域ユニットと称される。
【００７５】
選択肢として、一回の制御チャネルの占有した時間は制御チャネルに対応する時間領域ユニットと称されてもよく、又は、二回の制御チャネルの間の間隔は制御チャネルに対応する時間領域ユニットと称される。
【００７６】
選択肢として、制御チャネル及び該制御チャネルのスケジューリングしたデータチャネルの占有した時間長さは時間領域ユニットと称されてもよく、又は、時間領域ユニットに対して固定時間長さの区分を行い、該時間長さ内に、制御チャネル又は該制御チャネルのスケジューリングしたデータチャネルの一部を伝送することができる。
【００７７】
異なる状況に対して、時間領域ユニットは異なる呼び方があってもよく、例えば、データチャネルに対応する時間領域ユニットは時間領域スケジューリングユニット等と称され、無論、制御チャネル及び該制御チャネルのスケジューリングしたデータチャネルの占有した時間長さは時間領域スケジューリングユニットと称されてもよく、本願の実施例は具体的に制限しないと理解すべきである。
【００７８】
選択肢として、本願の実施例に係る時間領域ユニットはサブフレーム又はタイムスロットであってもよいが、それらに限らない。
【００７９】
選択肢として、前記第１時間帯の開始位置が前記第２時間帯の開始位置より早く、前記第１時間帯の開始位置と前記第２時間帯の開始位置との間の前記第１制御チャネルが第２データチャネルと周波数分割多重され、前記第２データチャネルが前記第１制御チャネルの前の制御チャネルによりスケジューリングされる。
【００８０】
つまり、第１制御チャネルと周波数分割多重されるデータチャネルは第１制御チャネルの前の制御チャネルによりスケジューリングされてもよい。
【００８１】
選択肢として、前記第１時間帯の終了位置が前記第２時間帯の開始位置より遅くない。
【００８２】
第１時間帯の終了位置が第２時間帯の開始位置より早いとき、該終了位置と該開始位置との時間間隔は具体的な状況に応じて決定されてもよい。
【００８３】
例えば、一実現方式において、該終了位置と該開始位置との時間間隔は第１制御チャネルの復調時間以上であってもよく、つまり、制御チャネルの復調が完了した後、第１データチャネルを伝送する。
【００８４】
例えば、他の実現方式において、第１制御チャネルの開始時間と第１データチャネルの開始時間との間隔はすべての存在し得る制御チャネルの最大伝送時間長さ以上であり、第１制御チャネルの伝送時間長さが該最大伝送時間長さではない場合、第１制御チャネルの終了位置と第１データチャネルの終了位置とが一定の時間間隔を有する。
【００８５】
選択肢として、前記第２時間帯において前記第２制御チャネルの開始位置が前記第２時間帯の開始位置より遅く、及び／又は、前記第２時間帯において前記第２制御チャネルの終了位置が前記第２時間帯の終了位置より早い。
【００８６】
選択肢として、前記第２制御チャネルが前記第２時間帯の一部の時間にのみ送信される。
【００８７】
選択肢として、前記第１時間帯の開始位置と前記第２時間帯の開始位置との時間差が無線通信中に存在し得る複数の制御チャネルとそのスケジューリングしたデータチャネルとの複数の時間差の最大値以上である。
【００８８】
選択肢として、本願の実施例において、ネットワーク機器は前記第１時間帯に対する前記第２時間帯の位置情報及び／又は前記第２時間帯の長さ情報を含む指示情報を端末装置に送信することができる。
【００８９】
一実現方式において、前記第１制御チャネルを含む複数の制御チャネルのスケジューリングした複数のデータチャネルに対応する伝送時間の位置情報及び／又は長さ情報を含む前記指示情報を送信する。
【００９０】
他の実現方式において、第１データチャネルに対応する伝送時間の位置情報及び／又は長さ情報のみを含む前記指示情報を送信する。
【００９１】
選択肢として、前記指示情報は前記第１時間帯の開始位置に対する前記第２時間帯の開始位置の相対位置又は前記第１時間帯の終了位置に対する前記第２時間帯の開始位置の相対位置を示すことに用いられる。
【００９２】
無論、該指示情報は第２時間帯の終了位置等の情報を含んでもよく、詳細な説明は省略する。
【００９３】
選択肢として、高層シグナリング又は物理層制御シグナリングを介して前記指示情報を送信する。
【００９４】
選択肢として、本願の実施例において、ネットワーク機器は動的又は半静的方式で指示情報を送信することができ、動的方式は毎回指示情報に１つの制御チャネルに対応するデータチャネルの伝送時間の位置情報及び／又は長さ情報のみを含め、半静的方式は毎回指示情報に複数の制御チャネルの各々に対応するデータチャネルの位置情報及び／又は長さ情報を含めてもよく、
高層シグナリングを介して半静的方式で指示情報を送信することができ、物理層制御シグナリングを介して指示情報を動的に送信することができる。
【００９５】
選択肢として、高層シグナリングは無線リソース制御（ＲＲＣ：Ｒａｄｉｏ  Ｒｅｓｏｕｒｃｅ  Ｃｏｎｔｒｏｌ）メッセージ、システム情報（ＳＩ：Ｓｙｓｔｅｍ  Ｉｎｆｏｒｍａｔｉｏｎ）であってもよい。
【００９６】
選択肢として、物理層制御シグナリングはダウンリンク制御情報（ＤＣＩ：Ｄｏｗｎｌｉｎｋ  ｃｏｎｔｒｏｌ  ｉｎｆｏｒｍａｔｉｏｎ）であってもよい。
【００９７】
本願をより明確に理解するために、以下に図４及び図５ａ−５ｄを参照しながら本願の実施例に係るスケジューリング方法を説明する。
【００９８】
図４に示すように、制御チャネルの伝送周期がＰ個シンボル（つまり、２つの制御チャネルのシンボル間隔）であり、ｎ番目の制御チャネルがシンボル１〜シンボルｃ１に位置し、ｎ＋１番目の制御チャネルがシンボルＰ＋１〜シンボル１＋Ｐ＋ｃ２に分布すると仮定する場合、ｎ番目のデータチャネルがシンボルｄ１〜シンボルｄ２の間に分布して、ｄ１＞ｃ１、ｄ２＞１＋Ｐ＋ｃ２、ｎ番目のデータチャネルがｎ番目の制御チャネルによりスケジューリングされる。類似的に、ｎ＋１番目のデータチャネルはｎ−１番目のデータチャネルのスケジューリング方式と類似である。
【００９９】
図５ａに示すように、制御チャネル１はデータチャネルａ１をスケジューリングすることができ、制御チャネル２はデータチャネルｄ１をスケジューリングすることができ、制御チャネル３はデータチャネルｂ１及びデータチャネルｅ１をスケジューリングすることができ、制御チャネル４はデータチャネルｃ１、データチャネルｆ及びデータチャネルｉ１をスケジューリングすることができ、制御チャネル５はデータチャネルｇ１をスケジューリングすることができ、制御チャネル６はデータチャネルｈ１及びデータチャネルｍ１をスケジューリングすることができ、制御チャネル７はデータチャネルｋ１をスケジューリングすることができ、制御チャネル８はデータチャネルｎ１をスケジューリングすることができる。
【０１００】
図５ｂには、図５ａに示すスケジューリング方法を用いるとき、端末装置が制御チャネル３及び６を復号するとき、端末の予めキャッシュすべきシンボル数を示す。図５ｂに示すように、キャッシュすべきデータチャネルの時間長さが制御チャネルの復号時間長さｔ１であり、端末の予めキャッシュすべきシンボル数がｘである。
【０１０１】
図５ｃに従来のスケジューリング方法を示す。
【０１０２】
図５ｃに示すように、制御チャネル１はデータチャネルａ２をスケジューリングすることができ、制御チャネル２はデータチャネルｄ２をスケジューリングすることができ、制御チャネル３はデータチャネルｂ２及びデータチャネルｅ２をスケジューリングすることができ、制御チャネル４はデータチャネルｃ２、データチャネルｆ及びデータチャネルｉ２をスケジューリングすることができ、制御チャネル５はデータチャネルｇ２をスケジューリングすることができ、制御チャネル６はデータチャネルｈ２及びデータチャネルｍ２をスケジューリングすることができ、制御チャネル７はデータチャネルｋ２をスケジューリングすることができ、制御チャネル８はデータチャネルｎ２をスケジューリングすることができる。
【０１０３】
図５ｄには、図５ｃに示すスケジューリング方法を用いるとき、端末装置が制御チャネル３及び６を復号するとき、端末の予めキャッシュすべきシンボル数を示す。図５ｄに示すように、キャッシュすべきデータチャネルの時間長さが制御チャネルの復号時間長さｔ１と制御チャネルの伝送時間長さｔ２との和であり、端末の予めキャッシュすべきシンボル数がｙであり、シンボル数ｙがシンボル数ｘより明らかに大きい。
【０１０４】
図５ｂ及び図５ｄから分かるように、本願のスケジューリング方法を用いることにより、端末装置のキャッシュすべきシンボル数を減少させることができる。
【０１０５】
図６は本願の実施例に係る通信方法４００の模式的なフローチャートである。図６に示すように、該方法４００は以下の内容を含む。選択肢として、該方法がネットワーク機器により実行される。
【０１０６】
４１０では、制御チャネルのスケジューリングしたデータチャネルの伝送時間帯の位置情報及び／又は長さ情報を含む指示情報を送信する。
【０１０７】
選択肢として、端末装置に指示情報を送信する。
【０１０８】
４２０では、前記制御チャネルを送信する。
【０１０９】
選択肢として、端末装置に制御チャネルを送信する。
【０１１０】
４３０では、前記データチャネルの伝送時間帯内に、前記データチャネルの受信又は送信を行う。
【０１１１】
選択肢として、前記データチャネルの伝送時間帯内に、端末装置とデータチャネルの受信及び送信を行う。
【０１１２】
図７は本願の実施例に係る無線通信方法５００の模式的なフローチャートである。図７に示すように、該方法５００は以下の内容を含む。選択肢として、該方法が端末装置により実行される。
【０１１３】
５１０では、制御チャネルのスケジューリングしたデータチャネルの位置情報及び／又は長さ情報を含む指示情報を受信する。
【０１１４】
選択肢として、ネットワーク機器の送信した指示情報を受信する。
【０１１５】
５２０では、前記指示情報及び前記制御チャネルにおける前記端末装置に対するスケジューリング情報に基づき、前記データチャネルの伝送時間帯内に、前記データチャネルにおける前記端末装置に対応するデータを受信又は送信する。
【０１１６】
選択肢として、前記指示情報は前記制御チャネルの伝送時間帯の開始位置に対する前記データチャネルの伝送時間帯の開始位置の相対位置、又は前記制御チャネルの伝送時間帯の終了位置に対する前記データチャネルの伝送時間帯の開始位置の相対位置を示すことに用いられる。
【０１１７】
選択肢として、高層シグナリング又は物理層制御シグナリングを介して前記指示情報を送信する。
【０１１８】
選択肢として、本願の実施例において、ネットワーク機器は動的又は半静的方式で指示情報を送信することができ、動的方式は毎回指示情報に１つの制御チャネルに対応するデータチャネルの伝送時間の位置情報及び／又は長さ情報のみを含め、半静的方式は毎回指示情報に複数の制御チャネルの各々に対応するデータチャネルの位置情報及び／又は長さ情報を含めてもよく、
高層シグナリングを介して半静的方式で指示情報を送信することができ、物理層制御シグナリングを介して指示情報を動的に送信することができる。
【０１１９】
選択肢として、高層シグナリングは無線リソース制御（ＲＲＣ：Ｒａｄｉｏ  Ｒｅｓｏｕｒｃｅ  Ｃｏｎｔｒｏｌ）メッセージ、システム情報（ＳＩ：Ｓｙｓｔｅｍ  Ｉｎｆｏｒｍａｔｉｏｎ）であってもよい。
【０１２０】
選択肢として、物理層制御シグナリングはダウンリンク制御情報（ＤＣＩ：Ｄｏｗｎｌｉｎｋ  ｃｏｎｔｒｏｌ  ｉｎｆｏｒｍａｔｉｏｎ）であってもよい。
【０１２１】
従って、本願の実施例において、ネットワーク機器は制御チャネルのスケジューリングしたデータチャネルの伝送時間帯の位置情報及び／又は長さ情報を含む指示情報を端末装置に送信し、ネットワーク機器は該指示情報に基づいてデータチャネルのスケジューリングを行うことができ、それによりデータチャネルの柔軟なスケジューリングを実現することができる。
【０１２２】
図８は本願の実施例に係るネットワーク機器６００の模式的なブロック図である。図８に示すように、該ネットワーク機器６００は第１送受信ユニット６１０及び第２送受信ユニット６２０を備え、前記第１送受信ユニット６１０は、第１時間帯に、前記第１データチャネルのスケジューリング情報を含める第１制御チャネルを送信することに用いられ、前記第２送受信ユニット６２０は、前記第１データチャネルのスケジューリング情報に基づき、第２時間帯に第１データチャネルの受信又は送信を行うことに用いられ、前記第１送受信ユニット６１０は、更に、前記第２時間帯の一部の時間に前記第１データチャネルと周波数分割多重されることで第２制御チャネルを送信することに用いられ、前記第２制御チャネルのスケジューリングしたデータチャネルが前記第１データチャネルを含まず、前記一部の時間の開始位置が前記第１時間帯の終了位置より先ではない。
【０１２３】
選択肢として、前記第１時間帯の開始位置が前記第２時間帯の開始位置より早く、前記第１時間帯の開始位置と前記第２時間帯の開始位置との間の前記第１制御チャネルが第２データチャネルと周波数分割多重され、前記第２データチャネルが前記第１制御チャネルの前の制御チャネルによりスケジューリングされる。
【０１２４】
選択肢として、前記第１時間帯の終了位置が前記第２時間帯の開始位置より遅くない。
【０１２５】
選択肢として、前記第２時間帯において前記第２制御チャネルの開始位置が前記第２時間帯の開始位置より遅く、及び／又は、前記第２時間帯において前記第２制御チャネルの終了位置が前記第２時間帯の終了位置より早い。
【０１２６】
選択肢として、前記第２制御チャネルが前記第２時間帯の一部の時間にのみ送信される。
【０１２７】
選択肢として、前記第１時間帯の開始位置と前記第２時間帯の開始位置との時間差が無線通信中に存在し得る複数の制御チャネルとそのスケジューリングしたデータチャネルとの複数の時間差の最大値以上である。
【０１２８】
選択肢として、前記第１送受信ユニット６１０は、更に、前記第１時間帯に対する前記第２時間帯の位置情報及び／又は前記第２時間帯の長さ情報を含む指示情報を送信することに用いられる。
【０１２９】
選択肢として、前記指示情報は前記第１時間帯の開始位置に対する前記第２時間帯の開始位置の相対位置、又は前記第１時間帯の終了位置に対する前記第２時間帯の開始位置の相対位置を示すことに用いられる。
【０１３０】
選択肢として、前記第１送受信ユニット６１０は、更に、前記第１制御チャネルを含む複数の制御チャネルのスケジューリングした複数のデータチャネルに対応する伝送時間の位置情報及び／又は長さ情報を含む前記指示情報を送信することに用いられる。
【０１３１】
選択肢として、前記第１送受信ユニット６１０は、更に、
高層シグナリング又は物理層制御シグナリングを介して前記指示情報を送信することに用いられる。
【０１３２】
該ネットワーク機器は方法２００におけるネットワーク機器に対応してもよく、方法２００におけるネットワーク機器の対応操作を実現することができ、簡潔のため、詳細な説明は省略すると理解すべきである。
【０１３３】
図９は本願の実施例に係るネットワーク機器７００の模式的なブロック図である。図９に示すように、該ネットワーク機器７００は第１送受信ユニット７１０及び第２送受信ユニット７２０を備え、前記第１送受信ユニット７１０は、制御チャネルのスケジューリングしたデータチャネルの伝送時間帯の位置情報及び／又は長さ情報を含む指示情報を送信し、前記制御チャネルを送信することに用いられ、前記第２送受信ユニット７２０は、前記データチャネルの伝送時間帯内に、前記データチャネルの受信又は送信を行うことに用いられる。
【０１３４】
選択肢として、前記指示情報は前記制御チャネルの伝送時間帯の開始位置に対する前記データチャネルの伝送時間帯の開始位置の相対位置、又は前記制御チャネルの伝送時間帯の終了位置に対する前記データチャネルの伝送時間帯の開始位置の相対位置を示すことに用いられる。
【０１３５】
選択肢として、前記第１送受信ユニット７１０は、更に、前記制御チャネルを含む複数の制御チャネルのスケジューリングした複数のデータチャネルに対応する伝送時間の位置情報及び／又は長さ情報を含む前記指示情報を送信することに用いられる。
【０１３６】
選択肢として、前記第１送受信ユニット７１０は、更に、高層シグナリング又は物理層シグナリングを介して前記指示情報を送信することに用いられる。
【０１３７】
該ネットワーク機器は方法４００におけるネットワーク機器に対応してもよく、方法４００におけるネットワーク機器の対応操作を実現することができ、簡潔のため、詳細な説明は省略すると理解すべきである。
【０１３８】
図１０は本願の実施例に係る端末装置８００の模式的なブロック図である。図１０に示すように、該端末装置８００は第１送受信ユニット８１０及び第２送受信ユニット８２０を備え、前記第１送受信ユニット８１０は、第１時間帯に伝送した第１制御チャネルにおいて、第１データチャネルのスケジューリング情報のうちの前記端末装置に対応するスケジューリング情報を受信することに用いられ、前記第１制御チャネルが前記第１データチャネルをスケジューリングすることに用いられ、前記第１データチャネルが第２時間帯に伝送され、前記第２送受信ユニット８２０は、前記端末装置に対するスケジューリング情報に基づき、前記第１データチャネルにおける前記端末装置に対応するデータを受信又は送信することに用いられ、前記第２時間帯の一部の時間に、前記第１データチャネルが第２制御チャネルと周波数分割多重され、前記第２制御チャネルのスケジューリングしたデータチャネルが前記第１データチャネルを含まず、前記一部の時間の開始位置が前記第１時間帯の終了位置より先ではない。
【０１３９】
選択肢として、前記第１時間帯の開始位置が前記第２時間帯の開始位置より早く、前記第１時間帯の開始位置と前記第２時間帯の開始位置との間の前記第１制御チャネルが第２データチャネルと周波数分割多重され、前記第２データチャネルが前記第１制御チャネルの前の制御チャネルによりスケジューリングされる。
【０１４０】
選択肢として、前記第１時間帯の終了位置が前記第２時間帯の開始位置より遅くない。
【０１４１】
選択肢として、前記第２時間帯において前記第２制御チャネルの開始位置が前記第２時間帯の開始位置より遅く、及び／又は、前記第２時間帯において前記第２制御チャネルの終了位置が前記第２時間帯の終了位置より早い。
【０１４２】
選択肢として、前記第２制御チャネルが前記第２時間帯の一部の時間にのみ送信される。
【０１４３】
選択肢として、前記第１時間帯の開始位置と前記第２時間帯の開始位置との時間差が無線通信中に存在し得る複数の制御チャネルとそのスケジューリングしたデータチャネルとの複数の時間差の最大値以上である。
【０１４４】
選択肢として、前記第１送受信ユニット８１０は、更に、前記第１時間帯に対する前記第２時間帯の位置情報及び／又は前記第２時間帯の長さ情報を含む指示情報を受信することに用いられ、前記第２送受信ユニット８２０は、更に、前記指示情報及び前記スケジューリング情報に基づき、前記第１データチャネルにおける前記端末装置に対応するデータを受信又は送信することに用いられる。
【０１４５】
選択肢として、前記指示情報は前記第１時間帯の開始位置に対する前記第２時間帯の開始位置の相対位置又は前記第１時間帯の終了位置に対する前記第２時間帯の開始位置の相対位置を示すことに用いられる。
【０１４６】
選択肢として、前記第１送受信ユニット８１０は、更に、
前記第１制御チャネルを含む複数の制御チャネルのスケジューリングした複数のデータチャネルに対応する伝送時間の位置情報及び／又は長さ情報を含む前記指示情報を受信することに用いられる。
【０１４７】
選択肢として、前記第１送受信ユニット８１０は、更に、
高層シグナリング又は物理層制御シグナリングを介して送信した前記指示情報を受信することに用いられる。
【０１４８】
該端末装置は方法３００における端末装置に対応してもよく、方法３００における端末装置の対応操作を実現することができ、簡潔のため、詳細な説明は省略すると理解すべきである。
【０１４９】
図１１は本願の実施例に係る端末装置９００の模式的なブロック図である。図１１に示すように、該端末装置９００は第１送受信ユニット９１０及び第２送受信ユニット９２０を備え、
選択肢として、前記第１送受信ユニット９１０は、制御チャネルのスケジューリングしたデータチャネルの位置情報及び／又は長さ情報を含む指示情報を受信することに用いられ、前記第２送受信ユニット９２０は、前記指示情報及び前記制御チャネルにおける前記端末装置に対するスケジューリング情報に基づき、前記データチャネルの伝送時間帯内に、前記データチャネルにおける前記端末装置に対応するデータを受信又は送信することに用いられる。
【０１５０】
選択肢として、前記指示情報は前記制御チャネルの伝送時間帯の開始位置に対する前記データチャネルの伝送時間帯の開始位置の相対位置、又は前記制御チャネルの伝送時間帯の終了位置に対する前記データチャネルの伝送時間帯の開始位置の相対位置を示すことに用いられる。
【０１５１】
選択肢として、前記第１送受信ユニット９１０は、更に、前記制御チャネルを含む複数の制御チャネルのスケジューリングした複数のデータチャネルに対応する伝送時間の位置情報及び／又は長さ情報を含む前記指示情報を受信することに用いられる。
【０１５２】
選択肢として、前記第１送受信ユニット９１０は、更に、高層シグナリング又は物理層シグナリングを介して送信した前記指示情報を受信することに用いられる。
【０１５３】
該端末装置は方法５００における端末装置に対応してもよく、方法５００における端末装置の対応操作を実現することができ、簡潔のため、詳細な説明は省略すると理解すべきである。
【０１５４】
図１２は本願の実施例に係る通信装置１０００の模式的なブロック図である。図１２に示すように、該装置１０００はプロセッサ１０１０及びメモリ１０２０を備える。該メモリ１０２０にプログラムコードが記憶されてもよく、該プロセッサ１０１０は該メモリ１０２０に記憶されるプログラムコードを実行することができる。
【０１５５】
選択肢として、図１２に示すように、該装置１０００は送受信機１０３０を備えてもよく、プロセッサ１０１０は送受信機１０３０が外部と通信するように制御することができる。
【０１５６】
選択肢として、該プロセッサ１０１０はメモリ１０２０に記憶されるプログラムコードを呼び出して、図２に示す方法２００におけるネットワーク機器の対応操作を実行することができ、簡潔のため、詳細な説明は省略する。
【０１５７】
選択肢として、該プロセッサ１０１０はメモリ１０２０に記憶されるプログラムコードを呼び出して、図３に示す方法３００における端末装置の対応操作を実行することができ、簡潔のため、詳細な説明は省略する。
【０１５８】
選択肢として、該プロセッサ１０１０はメモリ１０２０に記憶されるプログラムコードを呼び出して、方法４００におけるネットワーク機器の対応操作を実行することができ、簡潔のため、詳細な説明は省略する。
【０１５９】
選択肢として、該プロセッサ１０１０はメモリ１０２０に記憶されるプログラムコードを呼び出して、図７に示す方法５００における端末装置の対応操作を実行することができ、簡潔のため、詳細な説明は省略する。
【０１６０】
図１３は本願の実施例のシステムチップの模式的な構造図である。図１３におけるシステムチップ１１００は入力インターフェース１１０１、出力インターフェース１１０２を備え、前記プロセッサ１１０３及びメモリ１１０４が通信により接続され、前記プロセッサ１１０３は前記メモリ１１０４におけるコードを実行することに用いられる。
【０１６１】
選択肢として、前記コードが実行されるとき、前記プロセッサ１１０３は方法実施例における端末装置の実行する方法を実現する。簡潔のため、詳細な説明は省略する。
【０１６２】
選択肢として、前記コードが実行されるとき、前記プロセッサ１１０３は方法実施例におけるネットワーク機器の実行する方法を実現する。簡潔のため、詳細な説明は省略する。
【０１６３】
当業者であれば、本明細書に開示される実施例を参照して説明した各例示のユニット及びアルゴリズムステップは、電子ハードウェア又はコンピュータソフトウェアと電子ハードウェアとの組み合わせで実現されてもよいと理解される。これらの機能をハードウェア又はソフトウェア方式で実行するかは、技術案の特定応用及び設計制約条件によって決定される。当業者は各特定応用に対して異なる方法で説明される機能を実現することができるが、このような実現は本願の範囲を超えると見なされるべきではない。
【０１６４】
当業者であれば、説明を便利且つ簡単にするために、上記説明されるシステム、装置及びユニットの具体的な動作過程は、上記方法実施例における対応過程を参照してもよく、ここで詳細な説明は省略すると明確に理解される。
【０１６５】
本願に係るいくつかの実施例において、開示されるシステム、装置及び方法は他の方式で実現されてもよいと理解すべきである。例えば、以上に説明される装置実施例は模式的なものに過ぎず、例えば、前記ユニットの区分は論理機能上の区分に過ぎず、実際に実現するとき、他の区分方式を用いてもよく、例えば複数のユニット又はコンポーネントは他のシステムに結合又は統合されてもよく、又はいくつかの特徴は省略してもよく、又は実行しなくてもよい。また、表示又は検討される相互間の結合又は直接結合又は通信接続はいくつかのインターフェース、装置又はユニットによる間接結合又は通信接続であってもよく、電気、機械又は他の形式であってもよい。
【０１６６】
分離部材として説明されるユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに分布されてもよい。実際の必要に応じて、その一部又は全部のユニットを選択して本実施例案の目的を実現してもよい。
【０１６７】
また、本願の各実施例において、各機能ユニットは１つの処理ユニットに統合されてもよく、各ユニットは独立して物理的に存在してもよく、２つ又は２つ以上のユニットは１つのユニットに統合されてもよい。
【０１６８】
前記機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ、又はネットワーク機器等であってもよい）に本願の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１６９】
以上の説明は、本願の具体的な実施形態であって、本願の保護範囲を制限するためのものではなく、当業者が本願に開示される技術的範囲内に容易に想到し得る変更や置換は、いずれも本願の保護範囲内に含まれる。従って、本願の保護範囲は特許請求の範囲に準じるべきである。
【図１】
2020507231.tif 000003
【図２】
2020507231.tif 000004
【図３】
2020507231.tif 000005
【図４】
2020507231.tif 000006
【図５ａ】
2020507231.tif 000007
【図５ｂ】
2020507231.tif 000008
【図５ｃ】
2020507231.tif 000009
【図５ｄ】
2020507231.tif 000010
【図６】
2020507231.tif 000011
【図７】
2020507231.tif 000012
【図８】
2020507231.tif 000013
【図９】
2020507231.tif 000014
【図１０】
2020507231.tif 000015
【図１１】
2020507231.tif 000016
【図１２】
2020507231.tif 000017
【図１３】
2020507231.tif 000018
【手続補正書】
【提出日】令和1年12月5日(2019.12.5)
【手続補正１】
【補正対象書類名】明細書
【補正対象項目名】０００５
【補正方法】変更
【補正の内容】
【０００５】
第１態様は無線通信方法を提供し、第１時間帯に、第１データチャネルのスケジューリング情報を含める第１制御チャネルを送信することと、前記第１データチャネルのスケジューリング情報に基づき、第２時間帯に前記第１データチャネルの受信又は送信を行うことと、前記第２時間帯の一部の時間に前記第１データチャネルと周波数分割多重されることで第２制御チャネルを送信し、前記第２制御チャネルのスケジューリングしたデータチャネルが前記第１データチャネルを含まず、前記一部の時間の開始位置が前記第１時間帯の終了位置より先ではないことと、を含む。
【手続補正２】
【補正対象書類名】明細書
【補正対象項目名】００３７
【補正方法】変更
【補正の内容】
【００３７】
第７態様は端末装置を提供し、該端末装置は第３態様又はいずれか１つの選択可能な実現方式における方法を実行するユニットを備えてもよい。
【手続補正３】
【補正対象書類名】明細書
【補正対象項目名】００３８
【補正方法】変更
【補正の内容】
【００３８】
第８態様は端末装置を提供し、該端末装置は第４態様又はいずれか１つの選択可能な実現方式における方法を実行するユニットを備えてもよい。
【手続補正４】
【補正対象書類名】明細書
【補正対象項目名】００３９
【補正方法】変更
【補正の内容】
【００３９】
第９態様はネットワーク機器を提供し、該ネットワーク機器はメモリ及びプロセッサを備えてもよく、該メモリは命令を記憶し、該プロセッサはメモリに記憶される命令を呼び出して第１態様又はいずれか１つの選択可能な実現方式における方法を実行することに用いられる。
【手続補正５】
【補正対象書類名】明細書
【補正対象項目名】００４０
【補正方法】変更
【補正の内容】
【００４０】
第１０態様はネットワーク機器を提供し、該ネットワーク機器はメモリ及びプロセッサを備えてもよく、該メモリは命令を記憶し、該プロセッサはメモリに記憶される命令を呼び出して第２態様又はいずれか１つの選択可能な実現方式における方法を実行することに用いられる。
【手続補正６】
【補正対象書類名】明細書
【補正対象項目名】００４１
【補正方法】変更
【補正の内容】
【００４１】
第１１態様は端末装置を提供し、該端末装置はメモリ及びプロセッサを備えてもよく、該メモリは命令を記憶し、該プロセッサはメモリに記憶される命令を呼び出して第３態様又はいずれか１つの選択可能な実現方式における方法を実行することに用いられる。
【手続補正７】
【補正対象書類名】明細書
【補正対象項目名】００４２
【補正方法】変更
【補正の内容】
【００４２】
第１２態様は端末装置を提供し、該端末装置はメモリ及びプロセッサを備えてもよく、該メモリは命令を記憶し、該プロセッサはメモリに記憶される命令を呼び出して第４態様又はいずれか１つの選択可能な実現方式における方法を実行することに用いられる。
【手続補正８】
【補正対象書類名】明細書
【補正対象項目名】００４３
【補正方法】変更
【補正の内容】
【００４３】
第１３態様はコンピュータ可読媒体を提供し、前記コンピュータ可読媒体はネットワーク機器の実行するプログラムコードを記憶し、前記プログラムコードは第１態様又は様々な実現方式における方法を実行するための命令を含む。
【手続補正９】
【補正対象書類名】明細書
【補正対象項目名】００４６
【補正方法】変更
【補正の内容】
【００４６】
第１６態様はコンピュータ可読媒体を提供し、前記コンピュータ可読媒体は端末装置の実行するプログラムコードを記憶し、前記プログラムコードは第４態様又は様々な実現方式における方法を実行するための命令を含む。
【手続補正１０】
【補正対象書類名】明細書
【補正対象項目名】００５５
【補正方法】変更
【補正の内容】
【００５５】
図１に本願の実施例に適用される無線通信システム１００を示す。該無線通信システム１００はネットワーク機器１１０を備えてもよい。ネットワーク機器１１０は端末装置と通信する装置であってもよい。ネットワーク機器１１０は特定の地理的領域に通信カバレッジを提供することができ、且つ該カバレッジ領域内の端末装置（例えばＵＥ）と通信することができる。選択肢として、該ネットワーク機器１１０はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、更にＬＴＥシステムにおける発展型基地局（ｅＮＢ又はｅＮｏｄｅＢ：Ｅｖｏｌｕｔｉｏｎａｌ  Ｎｏｄｅ  Ｂ）、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線制御装置であってもよく、又は、該ネットワーク機器は中継所、アクセスポイント、車載装置、ウェアラブル端末、将来の５Ｇネットワークにおけるネットワーク側機器又は将来発展する公衆陸上移動網（ＰＬＭＮ：Ｐｕｂｌｉｃ  Ｌａｎｄ  Ｍｏｂｉｌｅ  Ｎｅｔｗｏｒｋ）におけるネットワーク機器等であってもよい。
【手続補正１１】
【補正対象書類名】明細書
【補正対象項目名】０１４８
【補正方法】変更
【補正の内容】
【０１４８】
該端末装置は方法３００における端末装置に対応してもよく、方法３００における端末装置の対応操作を実現することができ、簡潔のため、詳細な説明は省略すると理解すべきである。
【手続補正１２】
【補正対象書類名】明細書
【補正対象項目名】０１５３
【補正方法】変更
【補正の内容】
【０１５３】
該端末装置は方法５００における端末装置に対応してもよく、方法５００における端末装置の対応操作を実現することができ、簡潔のため、詳細な説明は省略すると理解すべきである。
【手続補正１３】
【補正対象書類名】明細書
【補正対象項目名】０１６０
【補正方法】変更
【補正の内容】
【０１６０】
図１３は本願の実施例のシステムチップの模式的な構造図である。図１３におけるシステムチップ１１００は入力インターフェース１１０１、出力インターフェース１１０２、プロセッサ１１０３及びメモリ１１０４を備え、前記プロセッサ１１０３及びメモリ１１０４が通信により接続され、前記プロセッサ１１０３は前記メモリ１１０４におけるコードを実行することに用いられる。
【手続補正１４】
【補正対象書類名】特許請求の範囲
【補正対象項目名】全文
【補正方法】変更
【補正の内容】
【特許請求の範囲】
【請求項１】
無線通信方法であって、
第１時間帯に、第１データチャネルのスケジューリング情報を含める第１制御チャネルを送信することと、
前記第１データチャネルのスケジューリング情報に基づき、前記第２時間帯に第１データチャネルの受信又は送信を行うことと、
前記第２時間帯の一部の時間に前記第１データチャネルと周波数分割多重されることで第２制御チャネルを送信し、前記第２制御チャネルのスケジューリングしたデータチャネルは前記第１データチャネルを含まず、前記一部の時間の開始位置は前記第１時間帯の終了位置より先ではないことと、を含むことを特徴とする無線通信方法。
【請求項２】
前記第１時間帯の開始位置は前記第２時間帯の開始位置より早く、前記第１時間帯の開始位置と前記第２時間帯の開始位置との間の前記第１制御チャネルは第２データチャネルと周波数分割多重され、前記第２データチャネルは前記第１制御チャネルの前の制御チャネルによりスケジューリングされることを特徴とする請求項１に記載の方法。
【請求項３】
前記第１時間帯の終了位置は前記第２時間帯の開始位置より遅くないことを特徴とする請求項２に記載の方法。
【請求項４】
前記第２時間帯において前記第２制御チャネルの開始位置は前記第２時間帯の開始位置より遅く、及び／又は、前記第２時間帯において前記第２制御チャネルの終了位置は前記第２時間帯の終了位置より早いことを特徴とする請求項１〜３のいずれか１項に記載の方法。
【請求項５】
無線通信方法であって、
第１時間帯に伝送した第１制御チャネルにおいて、端末装置は第１データチャネルのスケジューリング情報のうちの前記端末装置に対応するスケジューリング情報を受信し、前記第１制御チャネルは前記第１データチャネルをスケジューリングすることに用いられ、  前記第１データチャネルは第２時間帯に伝送されることと、
前記端末装置に対するスケジューリング情報に基づき、前記第１データチャネルにおける前記端末装置に対応するデータを受信又は送信することと、を含み、
前記第２時間帯の一部の時間に、前記第１データチャネルは第２制御チャネルと周波数分割多重され、前記第２制御チャネルのスケジューリングしたデータチャネルは前記第１データチャネルを含まず、前記一部の時間の開始位置は前記第１時間帯の終了位置より先ではないことを特徴とする無線通信方法。
【請求項６】
前記第１時間帯の開始位置は前記第２時間帯の開始位置より早く、前記第１時間帯の開始位置と前記第２時間帯の開始位置との間の前記第１制御チャネルは第２データチャネルと周波数分割多重され、前記第２データチャネルは前記第１制御チャネルの前の制御チャネルによりスケジューリングされることを特徴とする請求項５に記載の方法。
【請求項７】
前記第１時間帯の終了位置は前記第２時間帯の開始位置より遅くないことを特徴とする請求項６に記載の方法。
【請求項８】
前記第２時間帯において前記第２制御チャネルの開始位置は前記第２時間帯の開始位置より遅く、及び／又は、前記第２時間帯において前記第２制御チャネルの終了位置は前記第２時間帯の終了位置より早いことを特徴とする請求項５〜７のいずれか１項に記載の方法。
【請求項９】
ネットワーク機器であって、
第１送受信ユニット及び第２送受信ユニットを備え、
前記第１送受信ユニットは第１時間帯に、第１データチャネルのスケジューリング情報を含める第１制御チャネルを送信することに用いられ、
前記第２送受信ユニットは前記第１データチャネルのスケジューリング情報に基づき、  第２時間帯に第１データチャネルの受信又は送信を行うことに用いられ、
前記第１送受信ユニットは更に前記第２時間帯の一部の時間に前記第１データチャネルと周波数分割多重されることで第２制御チャネルを送信することに用いられ、
前記第２制御チャネルのスケジューリングしたデータチャネルは前記第１データチャネルを含まず、前記一部の時間の開始位置は前記第１時間帯の終了位置より先ではないことを特徴とするネットワーク機器。
【請求項１０】
前記第１時間帯の開始位置は前記第２時間帯の開始位置より早く、前記第１時間帯の開始位置と前記第２時間帯の開始位置との間の前記第１制御チャネルは第２データチャネルと周波数分割多重され、前記第２データチャネルは前記第１制御チャネルの前の制御チャネルによりスケジューリングされることを特徴とする請求項９に記載のネットワーク機器。
【請求項１１】
前記第１時間帯の終了位置は前記第２時間帯の開始位置より遅くないことを特徴とする請求項１０に記載のネットワーク機器。
【請求項１２】
前記第２時間帯において前記第２制御チャネルの開始位置は前記第２時間帯の開始位置より遅く、及び／又は、前記第２時間帯において前記第２制御チャネルの終了位置は前記第２時間帯の終了位置より早いことを特徴とする請求項９〜１１のいずれか１項に記載のネットワーク機器。
【請求項１３】
前記第１送受信ユニットは、更に、
前記第１時間帯に対する前記第２時間帯の位置情報及び／又は前記第２時間帯の長さ情報を含む指示情報を送信することに用いられることを特徴とする請求項９〜１２のいずれか１項に記載のネットワーク機器。
【請求項１４】
前記指示情報は前記第１時間帯の開始位置に対する前記第２時間帯の開始位置の相対位置、又は前記第１時間帯の終了位置に対する前記第２時間帯の開始位置の相対位置を示すことに用いられ、
或いは、
前記第１送受信ユニットは更に、前記第１制御チャネルを含む複数の制御チャネルのスケジューリングした複数のデータチャネルに対応する伝送時間の位置情報及び/又は長さ情報を含む前記指示情報を送信することに用いられ、
或いは、
前記第１送受信ユニットは更に、高層シグナリング又は物理層制御シグナリングを介して前記指示情報を送信することに用いられることを特徴とする請求項１３に記載のネットワーク機器。
【請求項１５】
端末装置であって、
第１送受信ユニット及び第２送受信ユニットを備え、
前記第１送受信ユニットは第１時間帯に伝送した第１制御チャネルにおいて、第１データチャネルのスケジューリング情報のうちの前記端末装置に対応するスケジューリング情報を受信することに用いられ、前記第１制御チャネルは前記第１データチャネルをスケジューリングすることに用いられ、前記第１データチャネルは第２時間帯に伝送され、
前記第２送受信ユニットは前記端末装置に対するスケジューリング情報に基づき、前記第１データチャネルにおける前記端末装置に対応するデータを受信又は送信することに用いられ、
前記第２時間帯の一部の時間に、前記第１データチャネルは第２制御チャネルと周波数分割多重され、前記第２制御チャネルのスケジューリングしたデータチャネルは前記第１データチャネルを含まず、前記一部の時間の開始位置は前記第１時間帯の終了位置より先ではないことを特徴とする端末装置。
【請求項１６】
前記第１時間帯の開始位置は前記第２時間帯の開始位置より早く、前記第１時間帯の開始位置と前記第２時間帯の開始位置との間の前記第１制御チャネルは第２データチャネルと周波数分割多重され、前記第２データチャネルは前記第１制御チャネルの前の制御チャネルによりスケジューリングされることを特徴とする請求項１５に記載の端末装置。
【請求項１７】
前記第１時間帯の終了位置は前記第２時間帯の開始位置より遅くないことを特徴とする請求項１６に記載の端末装置。
【請求項１８】
前記第２時間帯において前記第２制御チャネルの開始位置は前記第２時間帯の開始位置より遅く、及び／又は、前記第２時間帯において前記第２制御チャネルの終了位置は前記第２時間帯の終了位置より早いことを特徴とする請求項１５〜１７のいずれか１項に記載の端末装置。
【請求項１９】
前記第１送受信ユニットは、更に、
前記第１時間帯に対する前記第２時間帯の位置情報及び／又は前記第２時間帯の長さ情報を含む指示情報を受信することに用いられ、
前記第２送受信ユニットは、更に、
前記指示情報及び前記端末装置に対するスケジューリング情報に基づき、前記第１データチャネルにおける前記端末装置に対応するデータを受信又は送信することに用いられることを特徴とする請求項１５〜１８のいずれか１項に記載の端末装置。
【請求項２０】
前記指示情報は前記第１時間帯の開始位置に対する前記第２時間帯の開始位置の相対位置、又は前記第１時間帯の終了位置に対する前記第２時間帯の開始位置の相対位置を示すことに用いられ、
或いは、
前記第１送受信ユニットは更に、前記第１制御チャネルを含む複数の制御チャネルのスケジューリングした複数のデータチャネルに対応する伝送時間の位置情報及び/又は長さ情報を含む前記指示情報を送信することに用いられ、
或いは、
前記第１送受信ユニットは更に、高層シグナリング又は物理層制御シグナリングを介して送信した前記指示情報を受信することに用いられることを特徴とする請求項１９に記載の端末装置。
【手続補正１５】
【補正対象書類名】図面
【補正対象項目名】図５ｃ
【補正方法】変更
【補正の内容】
【図５ｃ】
2020507231.tif 000019
【手続補正１６】
【補正対象書類名】図面
【補正対象項目名】図５ｄ
【補正方法】変更
【補正の内容】
【図５ｄ】
2020507231.tif 000020
【手続補正１７】
【補正対象書類名】図面
【補正対象項目名】図１０
【補正方法】変更
【補正の内容】
【図１０】
2020507231.tif 000021
【国際調査報告】
2020507231.tif 000022
2020507231.tif 000023
2020507231.tif 000024
2020507231.tif 000025
2020507231.tif 000026